(57)【要約】【課題】趣味や嗜好にあった情報が幅広く、かつ手軽に得られるウェブサイト情報提供装置およびウェブサイト情報提供プログラムを提供する。【解決手段】情報提供サーバ４は、インターネットＷを介して端末装置２とＷＷＷサーバ３とに接続されている。情報提供サーバ４は、使用者がアクセスしたウェブサイトのアドレスとウェブページ中のキーワードとを関連付けたアクセス履歴情報に基づいて、他の使用者のキーワードと一致するウェブサイトのアドレスを、端末装置２へ関連ウェブページ情報としてショートカットアイコンを配置したユーザページを出力する。そうすることで、趣味・嗜好が合ったウェブページを、ネットサーフィンを通じて閲覧することで抽出し、ブックマークとして保存するような一連の作業を、使用者が端末装置２を操作していない間に、使用者自身に代わって、自動的に処理して使用者に紹介してくれるので、利便性が高く、使い勝手がよい。【選択図】図１
2011022724.tif 000002
【特許請求の範囲】
【請求項１】
それぞれの端末装置にネットワークを介して接続されたウェブサイト情報提供装置であって、
前記それぞれの端末装置を操作する使用者に関する情報を記憶する記憶手段と、
前記それぞれの端末装置からのウェブサイトのアクセス要求に基づいて、前記ウェブサイトのウェブページを読み込み、要求元の端末装置へ送信するサイトアクセス手段と、
前記要求元の端末装置を操作する使用者の識別情報に、アクセスしたウェブサイトのアドレスとウェブページ中のキーワードとを関連付けてアクセス履歴情報として前記記憶手段に格納する履歴登録手段と、
前記端末装置のアクセス履歴情報に基づいて、前記記憶手段に格納された他の使用者のキーワードと一致するウェブサイトのアドレスを、該端末装置へ関連ウェブページ情報として出力する情報提供手段とを備えたことを特徴とするウェブサイト情報提供装置。
【請求項２】
前記履歴登録手段は、前記記憶手段に登録するキーワードとしてウェブページのタイトルを抽出する請求項１記載のウェブサイト情報提供装置。
【請求項３】
前記端末装置から送信された、該端末装置を操作する使用者の趣味・嗜好に関するプロフィール情報をキーワードとして前記記憶手段に登録するプロフィール登録手段を備え、
前記情報提供手段は、前記アクセス履歴情報と共に、前記プロフィール情報に基づいて関連ウェブページ情報を検索して出力する請求項１または２記載のウェブサイト情報提供装置。
【請求項４】
前記端末装置からのログイン要求に応じてログイン要求と共に送信された識別情報に基づいて識別情報ごとに割り当てられたウェブサイトへアクセスするためのサイトアクセスページを生成して、前記ログイン要求を送信した端末装置へ送信するユーザページ生成手段と、
前記情報提供手段が出力する関連ウェブページ情報に基づいて、この関連ウェブページ情報が示すアドレスをリンク先としたウェブページを閲覧するためのショートカットアイコンを生成して、前記サイトアクセスページに配置するアイコン生成手段とを備えた請求項１から３のいずれかの項に記載のウェブサイト情報提供装置。
【請求項５】
前記サイトアクセスページに配置されたショートカットアイコンを階層化するためのフォルダアイコンを生成し、該フォルダアイコンの位置に、該フォルダアイコンと同階層のショートカットアイコンを仮想的に掴み移動させ落とす操作により、該ショートカットアイコンを該フォルダアイコンの階層下とし、該フォルダアイコンと同階層のショートカットアイコンを消去するアイコン編集手段を備えた請求項４記載のウェブサイト情報提供装置。
【請求項６】
コンピュータを、
ネットワークを介して接続されたそれぞれの端末装置からのウェブサイトのアクセス要求に基づいて、前記ウェブサイトのウェブページを読み込み、要求元の端末装置へ送信するサイトアクセス手段、
前記要求元の端末装置を操作する使用者の識別情報に、アクセスしたウェブサイトのアドレスとウェブページ中のキーワードとを関連付けてアクセス履歴情報として、前記それぞれの端末装置を操作する使用者に関する情報を記憶する記憶手段に格納する履歴登録手段、
前記端末装置のアクセス履歴情報に基づいて、前記記憶手段に格納された他の使用者のキーワードと一致するウェブサイトのアドレスを、該端末装置へ関連ウェブページ情報として出力する情報提供手段として機能させることを特徴とするウェブサイト情報提供プログラム。
【発明の詳細な説明】
【技術分野】
【０００１】
本発明は、使用者の趣味・嗜好に合ったウェブサイトに関する情報を、使用者に提供することができるウェブサイト情報提供装置およびウェブサイト情報提供プログラムに関するものである。
【背景技術】
【０００２】
使用者が、端末装置を操作して、インターネットを介して様々なウェブサイトへアクセスすることで、所望とする情報をウェブページから得ることができる。ウェブページとしては、企業のサイトや個人のサイト、ビジネスに関するサイトや趣味のサイト、著名人や個人のブログなど、多種多様なサイトが世界中にある。この中から所望とする情報を幅広く得ることは段々難しくなってきている。
例えば、情報を得ようとキーワードに基づいて検索サイトにて検索しても、必要とする情報の他に閲覧が不要なウェブサイトが検索されるため、必要な情報か否かを判断するために不要なウェブページも閲覧しなければならない。このような問題に対し特許文献１では、クライアントに対し情報を提示するウェブサーバを設置し、このウェブサーバには、クライアントを特定するためのセッションマネージャと、特定されたユーザごとに異なる情報サービスを、過去に利用したサービスの履歴情報を参照して選択するＭＶＣＣサービスとが設けられた情報サービス提供システムが記載されている。
この特許文献１に記載の情報サービス提供システムでは、ＭＶＣＣサービスが、ユーザーデータベースにクライアントが過去に利用したサービスについての履歴情報を記録し、サービスを選択する際にこの履歴情報を参照して、高頻度でアクセスしているサービスに関する情報を優先的に提供するため、クライアントの趣味・嗜好に合った広告や宣伝等の情報を提示することも可能となり、より適切なサービスを提供することができるので、使用者ごとに異なるニーズに応じて、必要な情報を選択して提供することができるものである。
【先行技術文献】
【特許文献】
【０００３】
【特許文献１】特開２００１−１７５５６９号公報
【発明の概要】
【発明が解決しようとする課題】
【０００４】
しかし、特許文献１に記載の情報サービス提供システムでは、使用者自身の過去に利用したサービスについての履歴情報に基づいて情報を提供しているので、提供される情報の範囲が限られている。従って、それぞれの使用者の趣味や嗜好にあった情報が幅広い得られる訳ではない。
【０００５】
そこで本発明は、趣味や嗜好にあった情報が幅広く、かつ手軽に得られるウェブサイト情報提供装置およびウェブサイト情報提供プログラムを提供することを目的とする。
【課題を解決するための手段】
【０００６】
本発明のウェブサイト情報提供装置は、それぞれの端末装置にネットワークを介して接続されたウェブサイト情報提供装置であって、前記それぞれの端末装置を操作する使用者に関する情報を記憶する記憶手段と、前記それぞれの端末装置からのウェブサイトのアクセス要求に基づいて、前記ウェブサイトのウェブページを読み込み、要求元の端末装置へ送信するサイトアクセス手段と、前記要求元の端末装置を操作する使用者の識別情報に、アクセスしたウェブサイトのアドレスとウェブページ中のキーワードとを関連付けてアクセス履歴情報として前記記憶手段に格納する履歴登録手段と、前記端末装置のアクセス履歴情報に基づいて、前記記憶手段に格納された他の使用者のキーワードと一致するウェブサイトのアドレスを、該端末装置へ関連ウェブページ情報として出力する情報提供手段とを備えたことを特徴とする。
【０００７】
また、本発明のウェブサイト情報提供プログラムは、コンピュータを、ネットワークを介して接続されたそれぞれの端末装置からのウェブサイトのアクセス要求に基づいて、前記ウェブサイトのウェブページを読み込み、要求元の端末装置へ送信するサイトアクセス手段、前記要求元の端末装置を操作する使用者の識別情報に、アクセスしたウェブサイトのアドレスとウェブページ中のキーワードとを関連付けてアクセス履歴情報として、前記それぞれの端末装置を操作する使用者に関する情報を記憶する記憶手段に格納する履歴登録手段、前記端末装置のアクセス履歴情報に基づいて、前記記憶手段に格納された他の使用者のキーワードと一致するウェブサイトのアドレスを、該端末装置へ関連ウェブページ情報として出力する情報提供手段として機能させることを特徴とする。
【０００８】
本発明のウェブサイト情報提供装置は、ネットワークを介して接続されたそれぞれの端末装置からウェブサイトのアクセスがあると、サイトアクセス手段がウェブサイトのウェブページを読み込み、要求元の端末装置へ送信すると共に、履歴登録手段がアクセス履歴情報として、要求元の端末装置を操作する使用者の識別情報に、アクセスしたウェブサイトのアドレスとウェブページ中のキーワードとを関連付けて記憶手段に格納する。そして、情報提供手段が、端末装置ごとのアクセス履歴情報に基づいて、記憶手段に格納された他の使用者のキーワードが一致するウェブサイトのアドレスを、端末装置へ関連ウェブページ情報として出力するので、使用者自身のウェブサイトへのアクセスだけでなく、他の使用者がウェブサイトへアクセスしたアクセス履歴情報から関連ウェブページを検索するので、趣味・嗜好に合った幅広い情報を得ることができる。
【０００９】
前記履歴登録手段は、前記記憶手段に登録するキーワードとしてウェブページのタイトルを抽出するのが望ましい。ウェブページのタイトルはウェブページの内容を示しているものなので、キーワードとして適当である。また、ウェブページのタイトルは抽出が容易である。従って、ウェブページのタイトルからキーワードを抽出することで、使用者の趣味・嗜好に適合させやすい。
【００１０】
前記端末装置から送信された、該端末装置を操作する使用者の趣味・嗜好に関するプロフィール情報をキーワードとして前記記憶手段に登録するプロフィール登録手段を備え、
前記情報提供手段は、前記アクセス履歴情報と共に、前記プロフィール情報に基づいて関連ウェブページ情報を検索して出力するのが望ましい。使用者のアクセス履歴情報では、興味のないウェブページも含まれることがある。しかし、使用者自身が登録した趣味・嗜好に関するプロフィール情報は確実に使用者の意向が反映されているので、確度の高い関連ウェブページ情報を得ることができる。
【００１１】
前記端末装置からのログイン要求に応じてログイン要求と共に送信された識別情報に基づいて識別情報ごとに割り当てられたウェブサイトへアクセスするためのサイトアクセスページを生成して、前記ログイン要求を送信した端末装置へ送信するユーザページ生成手段と、前記情報提供手段が出力する関連ウェブページ情報に基づいて、この関連ウェブページ情報が示すアドレスをリンク先としたショートカットアイコンを生成して、前記サイトアクセスページに配置するアイコン生成手段とを備えるのが望ましい。使用者が端末装置を操作してログイン操作すると、端末装置からログイン要求が送信される。本発明のウェブサイト情報提供装置では、ユーザページ生成手段がログイン要求の際に送信された識別情報に基づいて識別情報ごとに割り当てられたサイトアクセスページを生成して端末装置へ送信する。サイトアクセスページでは、アイコン生成手段が関連ウェブページ情報が示すアドレスをリンク先としたウェブページを閲覧するためのショートカットアイコンを生成して、前記サイトアクセスページに配置する。従って、使用者はログインしたときのデスクトップ画面に、趣味・嗜好が合ったウェブサイトのショートカットアイコがブックマークのように配置されているので、このショートカットアイコンを実行することで幅広い情報を簡単に得ることができる。
【００１２】
前記サイトアクセスページに配置されたショートカットアイコンを階層化するためのフォルダアイコンを生成し、該フォルダアイコンの位置に、該フォルダアイコンと同階層のショートカットアイコンを仮想的に掴み移動させ落とす操作により、該ショートカットアイコンを該フォルダアイコンの階層下とし、該フォルダアイコンと同階層のショートカットアイコンを消去するアイコン編集手段を備えるのが望ましい。アイコン編集手段がショートカットアイコンを階層化するためのフォルダアイコンを生成することで、ショートカットアイコンを整理することができる。従って、ショートカットアイコンを仮想的に掴み移動させ離す操作によりフォルダアイコンの階層下とすることでサイトアクセスページが煩雑で見にくくなってしまうことが防止できる。
【発明の効果】
【００１３】
本発明は、使用者自身のウェブサイトへのアクセスだけでなく、他の使用者がウェブサイトへアクセスしたアクセス履歴情報に基づいて関連ウェブページが出力されるので、趣味・嗜好に合った情報が、幅広く、かつ手軽に得ることができる。
【図面の簡単な説明】
【００１４】
【図１】本発明の実施の形態に係るウェブサイト情報提供装置を用いたウェブサイト情報提供システム全体を示す図である。
【図２】図１に示すウェブサイト情報提供装置の構成を示すブロック図である。
【図３】（Ａ）〜（Ｄ）は、図１に示すウェブサイト情報提供システムの端末装置に表示される表示画面の一例を示す図である。
【図４】（Ａ）〜（Ｃ）は、図１に示すウェブサイト情報提供システムの端末装置に表示される表示画面の一例を示す図である。
【図５】（Ａ），（Ｂ）は、図１に示すウェブサイト情報提供システムの端末装置に表示される表示画面の一例を示す図である。
【発明を実施するための形態】
【００１５】
本発明の実施の形態に係るウェブサイト情報提供装置を、図面に基づいて説明する。
図１に示す情報提供システム１は、使用者が操作する端末装置２（２ａ〜２ｃ）と、ウェブページを提供するＷＷＷ（World Wide Web）サーバ３（３ａ〜３ｄ）と、ウェブサイト情報提供プログラムを動作させることで、ウェブサイト情報提供装置として機能する情報提供サーバ４とを備え、それぞれがネットワークの一例であるインターネットＷに接続されている。
【００１６】
端末装置２は、情報提供サーバ４を管理する管理会社から提供されたウェブアクセス支援プログラムをインストールすることで、クラウドコンピューティングサーバである情報提供サーバ４の利用端末として機能するものである。この端末装置２はデスクトップタイプやノートブックタイプのパーソナルコンピュータとすることができるが、インターネットＷとの通信機能を備えた携帯電話とすることができる。本実施の形態では、アップル社製のｉｐｈｏｎｅ（商標）が使用できる。
このウェブアクセス支援プログラムは、情報提供サーバ４を通じてＷＷＷサーバ３をアクセスしたり、情報提供サーバ４が提供するウェブページにアクセスしたりする。
【００１７】
ＷＷＷサーバ３（３ａ〜３ｄ）は、情報提供サーバ４からのウェブサイトのアクセス要求に応じてウェブページを送信するウェブ（Ｗｅｂ）サーバである。
【００１８】
情報提供サーバ４は、図２に示すように、通信手段４１と、表示手段４２と、入力手段４３と、認証手段４４と、メニューページ生成手段４５と、プロフィール登録手段４６と、ユーザページ生成手段４７と、サイトアクセス手段４８と、履歴登録手段４９と、情報提供手段５０と、アイコン生成手段５１と、アイコン編集手段５２と、記憶手段５３とを備えている。
【００１９】
通信手段４１は、インターネットＷを介して端末装置２ａ〜２ｃや、ＷＷＷサーバ３ａ〜３ｄとのデータの受け渡しを行う機能を備えている。通信手段４１は、ＬＡＮ（Local Area Network）とすることができる。表示手段４２および入力手段４３はメンテナンスの際に使用される。表示手段４２は、ＣＲＴ（Cathode Ray Tube）やＬＣＤ（Liquid Crystal Display）とすることができる。入力手段４３は、キーボードやマウスとすることができる。
【００２０】
認証手段４４は、使用者が登録したＩＤ情報およびパスワードと、ログインページから入力されたＩＤ情報およびパスワードとを比較することで、本人確認を行うものである。
メニューページ生成手段４５は、各種のページへ移行するための選択ボタンを表示するメニューページを生成する。
プロフィール登録手段４６は、プロフィール登録ページを生成し、このプロフィール登録ページにより入力された使用者のプロフィール情報を、記憶手段５３に各使用者の識別情報であるＩＤ情報に関連付けて登録するものである。
【００２１】
ユーザページ生成手段４７は、使用者のＩＤ情報に基づいて、端末装置２の表示画面に表示される使用者のＩＤ情報ごとに割り当てられたユーザページ（サイトアクセスページ）を生成して端末装置２へ送信する。
サイトアクセス手段４８は、それぞれの端末装置２からのウェブサイトのアクセス要求に基づいて、ウェブサイトのウェブページをＷＷＷサーバ３から読み込み、要求元の端末装置２へ送信する。
【００２２】
履歴登録手段４９は、要求元の端末装置を操作する使用者の識別情報に、アクセスしたウェブサイトのアドレスであるＵＲＬ（Uniform Resource Locator）とウェブページ中のキーワードとを関連付けてアクセス履歴情報として記憶手段５３に格納する。本実施の形態では、ウェブページ中のタイトルをキーワードとして記憶手段５３に登録している。
【００２３】
情報提供手段５０は、それぞれの端末装置２のアクセス履歴情報に基づいて、記憶手段５３に格納された使用者自身のキーワードと他の使用者のキーワードとが一致するウェブサイトのＵＲＬを、この端末装置２へ関連ウェブページ情報として出力する。
【００２４】
アイコン生成手段５１は、情報提供手段５０が関連ウェブページ情報として出力したウェブサイトのＵＲＬに基づいて、このＵＲＬをリンク先としたウェブページを閲覧するためのショートカットアイコンを生成して、ユーザページに配置する。
アイコン編集手段５２は、端末装置２のユーザページに配置されたショートカットアイコンを階層化するためのフォルダアイコンを生成し、このフォルダアイコンに同階層のショートカットアイコンを仮想的に掴み移動させ落とす操作を行うことで、ショートカットアイコンをフォルダアイコンの階層下とする機能を備えている。
【００２５】
記憶手段５３は、大容量で高速に情報の読み書きが可能なディスク装置とすることができる。記憶手段５３には、それぞれの端末装置２を操作する使用者に関する情報や各種のページ情報が格納されている。具体的には、使用者ごとに、認証情報、ページ情報、プロフィール情報、アクセス履歴情報が格納されている。認証情報は、ＩＤ情報およびパスワード情報である。ページ情報は、端末装置２側で表示される設定ページやユーザページなどの情報である。ユーザページ情報は、使用者のＩＤ情報ごとに割り当てられたユーザページを形成するための情報である。ユーザページ情報には、画面上に配置されるショートカットアイコン情報やファルダアイコン情報が含まれている。プロフィール情報は、使用者の住所、電話番号、性別、趣味などの使用者に関する個人情報である。アクセス履歴情報は、使用者のＩＤ情報に、アクセスしたウェブサイトのＵＲＬとウェブページ中から抽出されたキーワードとを関連付けた情報である。また、アクセス履歴情報には、アクセスされたウェブページのアクセス回数が含まれる。また、記憶手段５３には、履歴登録手段４９がウェブページ中のキーワードを抽出するためのキーワードデータベースが格納されている。
【００２６】
以上のように構成された本発明の実施の形態に係るウェブサイト情報提供システムの動作および使用状態について、図面に基づいて説明する。
まず、端末装置２を操作して、管理会社が運営する情報提供サーバ４、または管理会社がダウンロード可能に登録したアプリケーション配信サーバ（図示せず）からウェブアクセス支援プログラムをダウンロードしてインストールする。そして、端末装置２にてウェブアクセス支援プログラムを起動することで、端末装置２から情報提供サーバ４へアクセス要求が送信される。
【００２７】
情報提供サーバ４では、管理会社が運営するウェブサイトのログインページ（図示せず）が端末装置２へ送信され、端末装置２に表示される。ログインを希望する使用者は、ＩＤ情報およびパスワードの登録が完了していれば、登録したＩＤ情報およびパスワードの入力を行う。
【００２８】
ＩＤ情報およびパスワード情報の登録完了後の初めてのログインであれば、ログインページからログインすると、メニューページ生成手段４５により生成された図３（Ａ）に示すメニューページＰ１１が通信手段４１を介して端末装置２へ送信される。
使用者は、個人情報を設定するために、メニューページＰ１１に表示された選択ボタンの「メンバー」ボタンＢ１１をクリックする。「メンバー」ボタンＢ１１がクリックされたことが情報提供サーバ４へ送信されると、情報提供サーバ４ではプロフィール登録手段４６により図３（Ｂ）に示すプロフィール登録ページＰ１２を生成して端末装置２へ送信する。
【００２９】
使用者は、プロフィール登録ページＰ１２を見ながら、名前や住所、電話番号、趣味などを入力する。また、写真や絵などの画像を、使用者を示すアイコンとして指定する。
個人情報の入力が終わり情報提供サーバ４へ個人情報を送信することで、プロフィール登録手段４６は入力された個人情報を使用者のプロフィール情報として、この使用者のＩＤ情報に関連付けて記憶手段５３へ登録する。
【００３０】
個人情報の登録が完了すると、使用者には図３（Ｃ）に示すユーザページＰ１３が付与される。このユーザページは、ユーザページ生成手段４７が使用者にＩＤ情報に応じて記憶手段５３に格納されたユーザページ情報を読み込み端末装置２へ送信して表示させたものである。個人情報の登録が完了した直後は、予め準備されたユーザページＰ１３が送信される。
【００３１】
予め準備されたユーザページＰ１３では、ユーザページ生成手段４７がアクセス履歴情報から抽出した使用者たちのアクセス回数が多いウェブサイトのショートカットアイコンＳ１が配置されている。ユーザページＰ１３に、アクセス回数の多いウェブサイトのショートカットアイコンが予め配置されているので、使用者は他の使用者の関心が高いウェブサイトを新規に登録した段階で知ることができる。
【００３２】
使用者は、配置されたショートカットアイコンＳ１の画像、またはタイトルを見ながら、閲覧したいウェブサイトのショートカットアイコンＳ１をクリックすることで、ウェブサイトのアクセス要求が端末装置２から情報提供サーバ４へ送信される。
情報提供サーバ４では、サイトアクセス手段４８が、端末装置２からのウェブサイトのアクセス要求に基づいて、ウェブサイトのウェブページを読み込み、要求元の端末装置２へ送信する。そうすることで、図３（Ｄ）に示すように端末装置２にてウェブページＰ１４が表示される。
【００３３】
情報提供サーバ４では、サイトアクセス手段４８がウェブサイトへアクセスすると共に、履歴登録手段４９が使用者のＩＤ情報に、アクセスしたウェブサイトのＵＲＬと、ウェブページのキーワードとを関連付けてアクセス履歴情報として記憶手段５３に格納する。本実施の形態では、キーワードをウェブページのタイトルとしている。例えば、ウェブページのタイトルが「スイーツ情報満載！」であれば、「スイーツ」の語がキーワードとして、ＵＲＬと共にＩＤ情報に関連付けられてアクセス履歴情報として格納される。
このキーワードの抽出は、予め記憶手段５２に格納されているキーワードデータベースに登録されたワード列を履歴登録手段４９が検索してタイトル中の語と一致した語を選択している。
【００３４】
使用者は、ウェブページの閲覧が終了すると、ログアウトしたり、端末装置２上で動作するウェブアクセス支援プログラムを終了させたり、端末装置２の電源を切断したりすることで、端末装置２の操作を終える。
【００３５】
情報提供手段５０は、アクセス履歴情報のキーワードに基づいて、記憶手段５２に格納された他の使用者のアクセス履歴情報を検索する。そして、キーワードと一致する他の使用者がアクセスしたウェブサイトのＵＲＬを関連ウェブページ情報として出力する。そして、アイコン生成手段５１が、この関連ウェブページ情報のショートカットアイコンを使用者のユーザページに配置する。
【００３６】
使用者は、再度、端末装置２を操作してウェブアクセス支援プログラムを起動してログインを行うと、端末装置２からログイン要求と共にＩＤ情報およびパスワード情報が情報提供サーバ４へ送信される。認証手段４４により認証処理が完了すると、使用者のプロフィール登録が完了しているので、図４（Ａ）に示すように端末装置２では最初からユーザページＰ２１が表示される。
【００３７】
このユーザページＰ２１では、端末装置２を使用していない間に、他の使用者がアクセスしたウェブページであって、「スイーツ」のキーワードにより検索されたウェブページがショートカットアイコンＳ２となって、新たに配置されている。
スイーツに興味のある使用者は、ユーザページＰ２１に新たに表示されたスイーツに関するショートカットアイコンＳ２をクリックすることで、スイーツに関するウェブページを閲覧することができる。
【００３８】
このように、使用者自身のアクセス履歴情報に基づいて関連するページを、他の使用者のアクセス履歴情報からも得ることができるので、趣味・嗜好に合った幅広い情報を得ることができる。
【００３９】
情報提供手段５０は、アクセス履歴情報のキーワードだけでなく、プロフィール情報に基づいて関連ウェブページ情報を検索する。そして、情報提供手段５０によりキーワードが一致した他の使用者がアクセスしたウェブページを出力し、アイコン作成手段５１によりこのウェブページをショートカットアイコンとしてユーザページに配置する。
これは、使用者のアクセス履歴情報だけでは、たまたま閲覧したウェブページもキーワードとして登録されるため、興味のないウェブページも含まれることがある。しかし、使用者自身が登録した趣味・嗜好に関するプロフィール情報は確実に使用者の意向が反映されているので、確度の高い関連ウェブページ情報を得ることができる。
【００４０】
趣味・嗜好が合ったウェブページを、ネットサーフィンを通じて閲覧することで抽出し、ブックマークとして保存するような一連の作業を、本実施の形態では、使用者が端末装置２を操作していない間に、使用者自身に代わって、情報提供サーバ４が自動的に処理して使用者に紹介してくれるので、利便性が高く、使い勝手がよい。
【００４１】
ユーザページＰ２１では、スイーツに関するウェブページのショートカットアイコンの他に、例えば、図３（Ｂ）に示すプロフィール登録ページＰ１２にて、趣味を自動車、バイクとした場合には、自動車やバイクに関するウェブページのショートカットアイコンＳ３，Ｓ４が並ぶ。しかし、全部のショートカットアイコンＳ１〜Ｓ３が配置されているので、見にくく、それぞれのショートカットアイコンＳ１〜Ｓ３を判別しにくい。その場合には、ショートカットアイコンの整理を行う。
【００４２】
ここで、ショートカットアイコンの整理について、詳細に説明する。まず、使用者がユーザページＰ２１の「ｍｙ」ボタンＢ２１をクリックすることで、端末装置２から送信される編集要求に応答して、情報提供サーバ４のアイコン編集手段５２が図４（Ｂ）に示すフォルダアイコン作成ページであるマイページＰ２２を端末装置２へ送信する。
【００４３】
図４（Ａ）に示すユーザページＰ２１には、まだフォルダアイコンが作成されていないため、図４（Ｂ）に示すマイページＰ２２では予め準備されたフォルダアイコンＦ１の新規作成を指定するためのチェックボックスＣ１と、新規作成を指示する「新規作成する」ボタンＢ２２とが表示される。
使用者は、準備されたフォルダアイコンの中から新規作成したいフォルダアイコンのチェックボックスをチェックして、「新規作成する」ボタンＢ２２をクリックする。そうすることで、アイコン編集手段５２がフォルダアイコンＦ１を配置した図４（Ｃ）に示すようなユーザページＰ２３とする。
【００４４】
使用者は、移動させたいショートカットアイコンＳ１〜Ｓ３を仮想的に掴み移動させ落とす操作を、フォルダアイコンＦ１に対して行うことにより、フォルダアイコンＦ１と同階層のショートカットアイコンＳ１〜Ｓ３をフォルダアイコンＦ１の階層下とし、画面上から隠すことができる。マウスを使用して操作するパーソナルコンピュータの場合では、ドラッグアンドドロップ操作を行うことによりショートカットアイコンＳ１〜Ｓ３の階層下することができる。タッチパネル式の携帯電話では、ショートカットアイコンＳ１〜Ｓ３上で長押し、仮想的に掴めた状態となったらフォルダアイコンＦ１まで移動させ、指を表示画面から離してフォルダアイコンＦ１にショートカットアイコンＳ１〜Ｓ３を落とすことで、ドラッグアンドドロップ操作と同様の操作を行うことができる。このようにして、ショートカットアイコンＳ１〜Ｓ３の整理を行うことができるので、ユーザページＰ２３が煩雑で見にくくなってしまうことが防止できる。
【００４５】
フォルダアイコンＦ１を用いることで、趣味や嗜好がカテゴリ化することができるが、本実施の形態では、より細分化することが可能である。例えば、図４（Ｃ）に示すユーザページＰ２３に表示された「ｍｙ」ボタンＢ２１をクリックすると、ユーザページＰ２３には既にフォルダアイコンが生成されているため、アイコン編集手段５２により図５（Ａ）に示すサブフォルダ作成ページＰ３１が表示される。
【００４６】
サブフォルダ選択ページＰ３１では、どのフォルダアイコンの階層下にサブフォルダアイコンを作成するのかを指定するためのチェックボックスＣ２と、サブフォルダの作成を指示する「サブを作る」ボタンＢ３１とが表示される。
【００４７】
そして、チェックボックスＣ２により選択し、「サブを作る」ボタンＢ３１をクリックすることで、図５（Ｂ）に示すようなサブフォルダ作成ページＰ３２が表示される。例えば「本」フォルダＦ１であれば、予め準備された「小説」フォルダＦ２１、「雑誌」フォルダＦ２２、「占い」フォルダＦ２３、「料理」フォルダＦ２４とが準備されている。このフォルダアイコンのうちいずれか、または全部をチェックボックスＣ３により指定して作成することで、フォルダアイコンの階層下にフォルダアイコンを作成することができる。そして、ショートカットアイコンをそれぞれの最下層に分類することで、ショートカットアイコンの分類を細分化することができる。
【産業上の利用可能性】
【００４８】
本発明は、使用者の趣味・嗜好に合ったウェブサイトに関する情報を、使用者に提供することができるので、インターネットアクセス機能を有する携帯電話や、デジタルテレビ、パーソナルコンピュータなどからアクセスするサーバに好適である。
【符号の説明】
【００４９】
１  情報提供システム
２，２ａ〜２ｃ  端末装置
３，３ａ〜３ｄ  ＷＷＷサーバ
４  情報提供サーバ
４１  通信手段
４２  表示手段
４３  入力手段
４４  認証手段
４５  メニューページ生成手段
４６  プロフィール登録手段
４７  ユーザページ生成手段
４８  サイトアクセス手段
４９  履歴登録手段
５０  情報提供手段
５１  アイコン生成手段
５２  アイコン編集手段
５３  記憶手段
Ｐ１１  メニューページ
Ｐ１２  プロフィール登録ページ
Ｐ１３  ユーザページ
Ｐ１４  ウェブページ
Ｐ２１  ユーザページ
Ｐ２２  マイページ
Ｐ２３  ユーザページ
Ｐ３１  サブフォルダ選択ページ
Ｐ３２  サブフォルダ作成ページ
Ｂ１１  「メンバー」ボタン
Ｂ２１  「ｍｙ」ボタン
Ｂ２２  「新規作成する」ボタン
Ｂ３１  「サブを作る」ボタン
Ｃ１〜Ｃ３  チェックボックス
【図１】
2011022724.tif 000003
【図２】
2011022724.tif 000004
【図３】
2011022724.tif 000005
【図４】
2011022724.tif 000006
【図５】
2011022724.tif 000007